(57)【特許請求の範囲】
【請求項１】
高周波信号の伝送方向に沿って延びる形状からなる誘電体素体と、
前記誘電体素体に備えられ、前記高周波信号の伝送方向に延びる形状からなる信号導体と、
前記誘電体素体に備えられ、前記信号導体に電磁界結合するグランド導体と、を備え、
前記誘電体素体は、前記高周波信号の伝送方向に沿って、複数の直線部と、前記複数の直線部を繋ぐ湾曲部とを備え、
前記湾曲部では、
前記信号導体は、前記誘電体素体の幅方向の中央位置よりも、湾曲の内側の位置に配置されている、
高周波信号伝送線路。
【請求項２】
前記複数の直線部では、
前記信号導体は、前記誘電体素体の幅方向の略中央位置に配置されている、
請求項１に記載の高周波信号伝送線路。
【請求項３】
前記信号導体は、
前記湾曲部における幅が前記直線部における幅よりも広い、
請求項１または請求項２に記載の高周波信号伝送線路。
【請求項４】
前記グランド導体は、第１グランド導体と第２グランド導体を備え、
前記信号導体は、前記誘電体素体の厚み方向に沿って、前記第１グランド導体の配置位置と前記第２グランド導体の配置位置との間の位置に配置されている、
請求項１乃至請求項３のいずれか１項に記載の高周波信号伝送線路。
【請求項５】
前記誘電体素体の前記直線部では、
前記誘電体素体の幅方向において、
前記第１グランド導体の幅方向の中央位置と前記第２グランド導体の幅方向の中央位置の少なくとも一方は、前記信号導体の幅方向の中央位置と異なる位置にある、
請求項４に記載の高周波信号伝送線路。
【請求項６】
前記誘電体素体の前記湾曲部では、
前記直線部に接続する端部において、前記第１グランド導体の幅方向の中央位置は、前記信号導体の幅方向の中央位置および前記第２グランド導体の幅方向の中央位置よりも前記湾曲の内側の位置であり、
前記湾曲部の延びる方向において、前記延びる方向の中央位置に近づくにしたがって、前記信号導体の幅方向の中央位置および前記第２グランド導体の幅方向の中央位置は、前記湾曲の内側に向かって配置位置が変化している、
請求項５に記載の高周波信号伝送線路。
【請求項７】
前記湾曲部では、
前記湾曲部の延びる方向において、前記直線部に接続する端部から前記延びる方向の中央位置に近づくにしたがって、
前記信号導体の幅方向の中央位置が前記第１グランド導体の幅方向の中央位置に一致するまでの範囲では、前記第２グランド導体の幅方向の中央位置は幅方向に変化せず、前記信号導体の幅方向の中央位置は前記湾曲の内側に向かって変化するように配置され、
前記信号導体の幅方向の中央位置が前記第１グランド導体の幅方向の中央位置よりも前記湾曲の内側に位置している範囲では、前記第２グランド導体の幅方向の中央位置は前記信号導体の幅方向の中央位置よりも大きな変化量で前記湾曲の内側に向かって変化するように配置されている、
請求項６に記載の高周波信号伝送線路。
【発明の詳細な説明】
【技術分野】
【０００１】
本発明は、平膜状の高周波信号伝送線路に関する。
【背景技術】
【０００２】
従来、高周波信号伝送線路が各種考案されている。例えば、特許文献１に記載の高周波信号伝送線路は、平膜状の高周波信号伝送線路である。特許文献１に記載の高周波信号伝送線路は、平膜状で長尺状の誘電体素体を備える。【０００３】
誘電体素体は、線状の信号導体、第１グランド導体、および第２グランド導体を備える。信号導体は、誘電体素体の厚み方向の途中位置に配置されている。第１グランド導体と第２グランド導体は、誘電体素体の厚み方向において、信号導体を挟むように配置されている。この構成によって、信号導体と第１、第２グランド導体は、ストリップラインを構成している。【０００４】
誘電体素体の長尺方向の両端、すなわち、高周波信号伝送線路の長尺方向の両端は、信号導体および第１、第２グランド導体を外部回路に接続する外部接続端子としてコネクタが配置されている。
【先行技術文献】
【特許文献】
【０００５】
【特許文献１】国際公開第２０１２／０７３５９１号パンフレット
【発明の概要】
【発明が解決しようとする課題】
【０００６】
特許文献１に記載の高周波信号伝送線路は、単純に直線状に延びる形状であるため、長尺方向の両端のコネクタ同士の位置関係は固定されてしまう。すなわち、高周波信号伝送線路の長尺方向に沿ったコネクタ間の距離、および、長尺方向と厚み方向に直交する幅方向に沿ったコネクタ間の距離を変化させることはできない。【０００７】
このようなコネクタ間の位置関係を変化させることが可能になる構成としては、誘電体素体の途中位置に湾曲部を設け、湾曲部で複数の直線部を繋ぐ構成が考えられる。この場合、この湾曲部が変形することで、両端のコネクタの位置関係を変化させる。【０００８】
しかしながら、このような湾曲部を備える構成では、湾曲部を変形させたときに、湾曲部に加わる応力によって、湾曲部が他の箇所に比べて破断し易くなることが考えられる。また、湾曲部を設けることによって、高周波信号の伝送特性が劣化してしまう可能性がある。【０００９】
したがって、本発明の目的は、高周波信号の伝送特性に優れ、且つ、破断が生じ難い高周波信号伝送線路を提供することにある。
【課題を解決するための手段】
【００１０】
この発明の高周波信号伝送線路は、誘電体素体、信号導体、および、グランド導体を備える。誘電体素体は、高周波信号の伝送方向に沿って延びる形状からなる。信号導体は、誘電体素体に備えられ、高周波信号の伝送方向に延びる形状からなる。グランド導体は、誘電体素体に備えられ、信号導体に電磁界結合している。【００１１】
誘電体素体は、高周波信号の伝送方向に沿って、複数の直線部と、複数の直線部を繋ぐ湾曲部とを備える。湾曲部では、信号導体は、誘電体素体の幅方向の中央位置よりも、湾曲の内側の位置に配置されている。【００１２】
この構成では、湾曲部の内側における外部応力に対する強度が高められる。したがって、誘電体素体を変形させる際に、主に応力が加わる湾曲部の内側からの破断が抑制される。また、信号導体が湾曲部の内側にショートカットするように配置されるので、信号導体の長さが短くなり、伝送損失が抑制される。【００１３】
また、この発明の高周波信号伝送線路の複数の直線部では、信号導体は、誘電体素体の幅方向の略中央位置に配置されていることが好ましい。この構成では、直線部の具体的な構成を示している。【００１４】
また、この発明の高周波信号伝送線路では、信号導体は、湾曲部における幅が直線部における幅よりも広いことが好ましい。【００１５】
この構成では、さらに強度が高められるとともに、信号導体が幅方向の中央位置からずれることによるグランド導体との容量結合の低下が抑制され、インピーダンスの変化が抑制される。【００１６】
また、この発明の高周波信号伝送線路では、次の構成であることが好ましい。グランド導体は、第１グランド導体と第２グランド導体を備える。信号導体は、誘電体素体の厚み方向に沿って、第１グランド導体の配置位置と第２グランド導体の配置位置との間の位置に配置されている。【００１７】
この構成では、信号導体と第１、第２グランド導体によってストリップラインが構成され、外部への高周波信号のノイズの放射および外部からのノイズによる高周波信号への影響が抑制される。また、湾曲部では、さらに強度が高められる。【００１８】
また、この発明の高周波信号伝送線路では、次の構成であることが好ましい。誘電体素体の直線部の幅方向において、第１グランド導体の幅方向の中央位置と第２グランド導体の幅方向の中央位置の少なくとも一方は、信号導体の幅方向の中央位置と異なる位置にある。【００１９】
この構成では、直線部において、信号導体と第１、第２グランド導体との容量性結合を低くすることができる。これにより、信号導体の幅を広くでき、伝送損失を抑制することができる。【００２０】
また、この発明の高周波信号伝送線路では、次の構成であることが好ましい。誘電体素体の湾曲部では、直線部に接続する端部において、第１グランド導体の幅方向の中央位置は、信号導体の幅方向の中央位置および第２グランド導体の幅方向の中央位置よりも湾曲の内側の位置である。湾曲部の延びる方向において、延びる方向の中央位置に近づくにしたがって、信号導体の幅方向の中央位置および第２グランド導体の幅方向の中央位置は、湾曲の内側に向かって配置位置が変化している。【００２１】
この構成では、湾曲部における延びる方向に沿った各位置の間での容量性結合の差（ばらつき）を抑制でき、伝送損失を抑制できる。【００２２】
また、この発明の高周波信号伝送線路では、次の構成であることが好ましい。湾曲部では、湾曲部の延びる方向において延びる方向の中央位置に近づくにしたがって、信号導体の幅方向の中央位置が第１グランド導体の幅方向の中央位置に一致するまで、第２グランド導体の幅方向の中央位置は配置位置が変化せずに信号導体の幅方向の中央位置が湾曲の内側に向かって変化するように配置されている。信号導体の幅方向の中央位置が第１グランド導体の幅方向の中央位置よりも湾曲の内側の位置になると、第２グランド導体の幅方向の中央位置は信号導体の幅方向の中央位置よりも大きな変化量で湾曲の内側に向かって変化するように配置されている。【００２３】
この構成では、湾曲部における延びる方向に沿った各位置の間での容量性結合の差（ばらつき）をさらに抑制でき、伝送損失を抑制できる。
【発明の効果】
【００２４】
この発明によれば、優れた伝送特性を有し、信頼性の高い高周波信号伝送線路を実現することができる。
【図面の簡単な説明】
【００２５】
【図１】本発明の第１の実施形態に係る高周波信号伝送線路の外観斜視図である。
【図２】本発明の第１の実施形態に係る高周波信号伝送線路における導体の構成を示す平面図、および断面図である。
【図３】本発明の第１の実施形態に係る高周波信号伝送線路を引っ張り変形させた状態に係る応力の様子を説明する図である。
【図４】本発明の第２の実施形態に係る高周波信号伝送線路における湾曲部を含む領域の導体の構成を示す平面図である。
【図５】本発明の第３の実施形態に係る高周波信号伝送線路における湾曲部を含む領域の導体の構成を示す平面図である。
【図６】本発明の第４の実施形態に係る高周波信号伝送線路における導体の構成を示す平面図である。
【図７】本発明の第４の実施形態に係る高周波信号伝送線路における導体の構成を示す断面図である。
【図８】本発明の第４の実施形態に係る高周波信号伝送線路における導体の構成を示す平面図である。
【図９】本発明の第４の実施形態に係る高周波信号伝送線路における導体の構成を示す平面図である。
【図１０】本発明の第５の実施形態に係る高周波信号伝送線路における導体の構成を示す断面図である。
【図１１】本発明の第６の実施形態に係る高周波信号伝送線路における導体の構成を示す断面図である。
【図１２】本発明の第７の実施形態に係る高周波信号伝送線路における導体の構成を示す断面図である。
【発明を実施するための形態】
【００２６】
本発明の第１の実施形態に係る高周波信号伝送線路について、図を参照して説明する。図１は、本発明の第１の実施形態に係る高周波信号伝送線路の外観斜視図である。
【００２７】
高周波信号伝送線路１０は、平板状で且つ長尺状の誘電体素体９０を備える。誘電体素体９０は、複数の誘電体膜を厚み方向に積層することによって構成される。誘電体膜には、例えば、可撓性を有する樹脂材料を用いる。具体的には、誘電体膜には、液晶ポリマを主成分とする樹脂材料を用いることが好ましい。
【００２８】
誘電体素体９０は、直線部１１，１２，１３と湾曲部２１，２２とを備える。直線部１１，１２，１３は、延びる方向が平行になるように配置されている。直線部１１，１２，１３は、延びる方向および厚み方向に直交する方向に沿って間隔を空けて配置されている。言い換えれば、直線部１１，１２，１３は、各直線部１１，１２，１３の幅方向に対して平行な方向に沿って間隔を空けて配置されている。
【００２９】
直線部１１と直線部１２とは、湾曲部２１によって繋がれており、直線部１２と直線部１３は、湾曲部２２によって繋がれている。この際、湾曲部２１，２２は、外力が加わっていない状態において、直線部１１，１２，１３が同一平面上に配置されるように、直線部１１，１２，１３を繋ぐ形状からなる。
【００３０】
なお、直線部１１，１２，１３と湾曲部２１，２２は、個別に形成したものを繋ぐ構成よりも、一体形成されていることが好ましい。
【００３１】
誘電体素体９０の厚み方向の途中位置には、線状の信号導体（図１では図示せず）が配置されている。誘電体素体９０の厚み方向の一方端付近には、第１グランド導体（図１では図示せず）が配置されている。誘電体素体９０の厚み方向の他方端付近には、第２グランド導体（図１では図示せず）が配置されている。これにより、誘電体素体９０には、信号導体および第１、第２グランド導体によるストリップラインが構成される。
【００３２】
直線部１１，１２，１３および湾曲部２１，２２のそれぞれに配置された信号導体は互いに繋がっている。より具体的には、直線部１１の信号導体は、湾曲部２１の信号導体に繋がっており、湾曲部２１の信号導体は、直線部１２の信号導体に繋がっている。直線部１２の信号導体は、湾曲部２２の信号導体に繋がっており、湾曲部２２の信号導体は、直線部１３の信号導体に繋がっている。直線部１１，１２，１３および湾曲部２１，２２のそれぞれに配置された第１グランド導体は互いに繋がっている。より具体的には、直線部１１の第１グランド導体は、湾曲部２１の第１グランド導体に繋がっており、湾曲部２１の第１グランド導体は、直線部１２の第１グランド導体に繋がっている。直線部１２の第１グランド導体は、湾曲部２２の第１グランド導体に繋がっており、湾曲部２２の第１グランド導体は、直線部１３の第１グランド導体に繋がっている。直線部１１，１２，１３および湾曲部２１，２２のそれぞれに配置された第２グランド導体は互いに繋がっている。より具体的には、直線部１１の第２グランド導体は、湾曲部２１の第２グランド導体に繋がっており、湾曲部２１の第２グランド導体は、直線部１２の第２グランド導体に繋がっている。直線部１２の第２グランド導体は、湾曲部２２の第２グランド導体に繋がっており、湾曲部２２の第２グランド導体は、直線部１３の第２グランド導体に繋がっている。
【００３３】
誘電体素体９０の長尺方向の一方端部（直線部１１側の端部）には、外部接続端子として機能するコネクタ５１１が配置されている。誘電体素体９０の長尺方向の他方端部（直線部１３側の端部）には、外部接続端子として機能するコネクタ５１２が配置されている。コネクタ５１１，５１２は、図示していないが、信号導体および第１、第２グランド導体に接続されている。
【００３４】
なお、誘電体素体９０のコネクタ５１１，５１２が配置される側の面には、絶縁性レジスト８０が配置されている。この絶縁性レジスト８０は、いずれかのグランド導体が誘電体素体９０の表面に露出していなければ、省略することができる。
【００３５】
次に、具体的な直線部１１，１２および湾曲部２１の構造について図２を参照して説明する。なお、直線部１３は、直線部１１，１２と同様の構造であり、湾曲部２２は、湾曲部２１と同様の構造である。
【００３６】
図２（Ａ）は本発明の第１の実施形態に係る高周波信号伝送線路における導体の構成を示す平面図である。図２（Ａ）では、信号導体の形状を明確にするため、第１グランド導体および第２グランド導体の図示を省略している。
【００３７】
図２（Ｂ）は、本発明の第１の実施形態に係る高周波信号伝送線路の図２（Ａ）のＡ−Ａ’断面図である。図２（Ｃ）は、本発明の第１の実施形態に係る高周波信号伝送線路の図２（Ａ）のＢ−Ｂ’断面図である。
【００３８】
図２（Ａ）に示すように、直線部１１，１２は、延びる方向が平行になるように配置されている。直線部１１，１２は、幅方向に平行な方向に沿って間隔を空けて配置されている。湾曲部２１は、平面視して１８０°回転しながら延びる平膜状である。湾曲部２１をこのような形状とすることによって、直線部１１，１２の幅方向に平行な方向に沿って配置される直線部１１の端部と直線部１２の端部は湾曲部２１によって繋がれている。
【００３９】
図２（Ｂ）に示すように、直線部１１では、信号導体３１１は、誘電体素体９０の厚み方向の略中央で、且つ、誘電体素体９０の幅方向の略中央に配置されている。直線部１１では、第１グランド導体４１は、誘電体素体９０の厚み方向の一方端面付近に配置されている。直線部１１では、第２グランド導体４２は、誘電体素体９０の厚み方向の他方端面付近に配置されている。第１グランド導体４１および第２グランド導体４２は、誘電体素体９０を平面視して略全面に亘る形状である。信号導体３１１の幅は、誘電体素体９０および第１、第２グランド導体４１，４２の幅よりも狭い。信号導体３１１の幅は、誘電体素体９０の材料、第１、第２グランド導体４１，４２との距離、および高周波信号伝送線路１０としてのインピーダンスに基づいて設定されている。
【００４０】
なお、直線部１２は、直線部１１の信号導体３１１が信号導体３１２に置き換わったものであり、他の構成は直線部１１と同じである。
【００４１】
図２（Ａ）、図２（Ｃ）に示すように、湾曲部２１では、信号導体３２１は、誘電体素体９０の厚み方向の略中央に配置されている。信号導体３２１の幅は、直線部１１，１２の信号導体３１１，３１２の幅と略同じである。信号導体３２１は、誘電体素体９０の厚み方向において、直線部１１，１２の信号導体３１１，３１２と同じ位置にある。信号導体３２１は、信号導体３１１，３１２と一体形成されている。
【００４２】
信号導体３２１は、誘電体素体９０における湾曲部２１の幅方向の中央位置よりも湾曲部２１の内周端側に近づくように配置されている。信号導体３２１は、湾曲部２１の延びる方向における中央で最も内周端に近づくように形成されている。例えば、信号導体３２１は、平面視して、直線部１１，１２の延びる方向と平行な方向が短軸方向となる楕円形状で形成されている。この際、信号導体３２１の幅方向の中央位置９８２は、信号導体３２１の延びる方向のいずれの位置においても、誘電体素体９０の幅方向の中央位置９８０よりも内周端側になる形状であることが好ましい。
【００４３】
湾曲部２１では、第１グランド導体４１は、誘電体素体９０の厚み方向の一方端面付近に配置されている。湾曲部２１では、第２グランド導体４２は、誘電体素体９０の厚み方向の他方端面付近に配置されている。第１グランド導体４１および第２グランド導体４２は、誘電体素体９０を平面視して略全面に亘る形状である。
【００４４】
図３は、本発明の第１の実施形態に係る高周波信号伝送線路を引っ張り変形させた状態に係る応力の様子を説明する図である。図３（Ａ）は、高周波信号伝送線路に対する引っ張り方向を示す平面図である。図３（Ｂ）は、本実施形態に係る高周波信号伝送線路を、図３（Ａ）に示す第１引っ張り方向に引っ張り変形させた状態の応力の様子を示す図である。図３（Ｃ）は、高周波信号伝送線路を、図３（Ａ）に示す第２引っ張り方向に引っ張り変形させた状態を示す図である。
【００４５】
（ｉ）図３（Ａ）に示すように、直線部１１，１２，１３の幅方向に平行な方向である第１引っ張り方向に、誘電体素体９０（高周波信号伝送線路１０）を引っ張る。この場合、図３（Ｂ）に示すように、湾曲部２１に接続する直線部１１と直線部１２との間の距離が開くように変形する。このような変形が生じると、湾曲部２１の内周端には、直線部１１，１２の幅方向に平行な方向の引っ張り応力が加わる。
【００４６】
本実施形態の高周波信号伝送線路１０では、誘電体素体９０よりも引っ張り応力に対する耐性が高い信号導体３２１が、湾曲部２１の内周端付近に配置されている。したがって、湾曲部２１の内周端に引っ張り応力が加わっても、このような配置の信号導体３２１を備える誘電体素体９０は、誘電体素体の幅方向の中央に信号導体が配置される態様と比較して、破断が生じ難い。
【００４７】
なお、図示していないが、湾曲部２２も、湾曲部２１と同様に破断が生じ難い。
【００４８】
（ｉｉ）図３（Ａ）に示すように、直線部１１，１２，１３の長尺方向に平行な方向である第２引っ張り方向に、誘電体素体９０（高周波信号伝送線路１０）を引っ張る。この場合、図３（Ｃ）に示すように、直線部１１，１２，１３の厚み方向において異なる位置になるように、直線部１１，１２，１３および湾曲部２１，２２が変形する。このような変形が生じると、湾曲部２１，２２の内周端には、誘電体素体９０の厚み方向に平行な方向の引っ張り応力が加わる。
【００４９】
本実施形態の高周波信号伝送線路１０では、誘電体素体９０よりも引っ張り応力に対する耐性が高い信号導体が、湾曲部２１，２２の内周端付近に配置されている。したがって、湾曲部２１，２２の内周端に引っ張り応力が加わっても、このような配置の信号導体を備える誘電体素体９０は、誘電体素体の幅方向の中央に信号導体が配置される態様と比較して、破断が生じ難い。
【００５０】
このように、本実施形態の高周波信号伝送線路１０は、当該高周波信号伝送線路１０を外部回路に実装する場合等に引っ張っても破断し難い。したがって、信頼性の高い高周波信号伝送線路１０を実現することができる。
【００５１】
また、本実施形態の高周波信号伝送線路１０の構成では、湾曲部２１，２２において、信号導体を内周端側にオフセットして、信号伝送経路をショートカットすることができる。これにより、信号伝送距離が短くなって伝送損失を低減でき、伝送特性に優れる高周波信号伝送線路１０を実現することができる。
【００５２】
なお、このような湾曲部において信号導体を内周端側にオフセットする構成は、高周波信号伝送線路が複数の湾曲部を備えている場合、１箇所に用いてれば、上述の作用効果を少なくとも奏することができる。
【００５３】
また、上述の高周波信号伝送線路１０では、信号導体を第１グランド導体と第２グランド導体で挟み込むストリップラインを採用している。しかしながら、第２グランド導体を省略したマイロストリップラインにも、上述の湾曲部において信号導体を内周端側にオフセットする構成を適用し、同様の作用効果を得ることができる。ただし、本実施形態の構成を備えることによって、内周端付近には、信号導体のみでなく、第１、第２グランド導体の２つのグランド導体が配置されるので、さらに信頼性の高い高周波信号伝送線路を実現することができる。また、ストリップラインを用いることによって、高周波信号伝送線路１０を伝送する高周波信号が外部へ不要に放射されることを抑制できる。また、外部からのノイズが、高周波信号伝送線路１０を伝送する高周波信号に重畳することを抑制できる。これにより、さらに伝送特性に優れる高周波信号伝送線路を実現することができる。
【００５４】
次に、本発明の第２の実施形態に係る高周波信号伝送線路について、図を参照して説明する。図４は、本発明の第２の実施形態に係る高周波信号伝送線路における湾曲部を含む領域の導体の構成を示す平面図である。図４では、信号導体の形状を明確にするため、第１グランド導体および第２グランド導体の図示を省略している。
【００５５】
本実施形態の高周波信号伝送線路１０Ａは、第１の実施形態に係る高周波信号伝送線路１０に対して、湾曲部の信号導体の構成が異なるものであり、他の構成は、第１の実施形態に係る高周波信号伝送線路１０と同じである。
【００５６】
高周波信号伝送線路１０Ａの湾曲部２１Ａは、信号導体３２１Ａを備える。信号導体３２１Ａは、誘電体素体９０の厚み方向の略中央の位置に配置されている。信号導体３２１Ａは、誘電体素体９０の幅方向の中央位置よりも湾曲部２１Ａの内周端側に近づくように配置されている。信号導体３２１Ａの一方端は直線部１１の信号導体３１１に接続されており、信号導体３２１Ａの他方端は直線部１２の信号導体３１２に接続されている。
【００５７】
信号導体３２１Ａの幅ＷＣＡは、信号導体３１１，３１２の幅ＷＳＡよりも広い。この際、信号導体３２１Ａの幅ＷＣＡは、湾曲部２１Ａの延びる方向に中央に向かって徐々に広くなり、湾曲部２１Ａの延びる方向における中央で最も広くなることが好ましい。なお、信号導体３２１Ａの幅は、段階的に広がるようにしてもよい。
【００５８】
このような構成とすることで、信号導体３２１Ａの幅方向の中央位置が、第１、第２グランド導体の幅方向の中央位置からずれても、信号導体３２１Ａと第１、第２グランド導体との間の容量性結合の低下を抑制できる。これにより、直線部１１，１２と湾曲部２１Ａとの間の特性インピーダンスの差を抑制でき、伝送損失を抑制することができる。
【００５９】
また、引っ張り応力の加わる湾曲部２１Ａの内周端側に配置される導体の割合が大きくなる。したがって、さらに破断が生じ難く、信頼性の高い高周波信号伝送線路１０Ａを実現することができる。
【００６０】
次に、本発明の第３の実施形態に係る高周波信号伝送線路について、図を参照して説明する。図５は、本発明の第３の実施形態に係る高周波信号伝送線路における湾曲部を含む領域の導体の構成を示す平面図である。図５では、信号導体の形状を明確にするため、第１グランド導体および第２グランド導体の図示を省略している。
【００６１】
本実施形態に係る高周波信号伝送線路１０Ｂの基本的な伝送線路の構成は、第１の実施形態に係る高周波信号伝送線路１０と同じである。すなわち、本実施形態に係る高周波信号伝送線路１０Ｂも、第１の実施形態に係る高周波信号伝送線路１０と同様に、高周波信号の伝送方向に沿って直線部と湾曲部を有するストリップラインの伝送線路である。
【００６２】
高周波信号伝送線路１０Ｂの誘電体素体９０Ｂは、直線部１１Ｂ，１２Ｂと湾曲部２１Ｂを備える。
【００６３】
直線部１１Ｂの延びる方向（長尺方向）と、直線部１２Ｂの延びる方向（長尺方向）との成す角は、９０°である。なお、直線部１１Ｂ，１２Ｂの延びる方向の成す角は、９０°に限るものでなく、直線部１１Ｂ，１２Ｂが平行でない場合に、本実施形態の構成を適用できる。直線部１１Ｂは信号導体３１１Ｂを備え、信号導体３１１Ｂは直線部１１Ｂの延びる方向に沿って延びる形状で配置されている。直線部１２Ｂは信号導体３１２Ｂを備え、信号導体３１２Ｂは直線部１２Ｂの延びる方向に沿って延びる形状で配置されている。
【００６４】
湾曲部２１Ｂは、平面視して、９０°に湾曲する形状からなり、直線部１１Ｂと直線部１２Ｂを繋ぐ。湾曲部２１Ｂは、信号導体３２１Ｂを備える。信号導体３２１Ｂは、誘電体素体９０Ｂにおける湾曲部２１Ｂの幅方向の中央位置よりも湾曲部２１Ｂの内周端側に近づくように形成されている。信号導体３２１Ｂは、湾曲部２１Ｂの延びる方向における中央で最も内周端に近づくように形成されている。例えば、信号導体３２１Ｂは、平面視して、湾曲部２１Ｂの曲率半径よりも大きな円形状で形成されている。この際、信号導体３２１の幅方向の中央位置９８２Ｂは、信号導体３２１Ｂの延びる方向のいずれの位置においても、誘電体素体９０Ｂの湾曲部２１Ｂにおける幅方向の中央位置９８０Ｂよりも内周端側になる形状であることが好ましい。
【００６５】
このような構成であっても、上述の第１の実施形態と同様に、優れた伝送特性と高い信頼性を有する高周波信号伝送線路１０Ｂを実現することができる。
【００６６】
なお、上述の各実施形態では、ストリップライン構造の高周波信号伝送線路を例に示したが、マイクロストリップライン構造にしてもよい。すなわち、第２グランド導体を省略してもよい。また、第２グランド導体に対して部分的に導体を設けていない開口部を設けてもよい。開口部は、例えば、第２グランド導体の延びる方向に沿って間隔を空けて、複数個設ける。
【００６７】
また、上述の実施形態では、第１、第２グランド導体が誘電体層の内部に形成される例を示したが、一方が誘電体層の表面に形成されていてもよく、第１、第２グランド導体がそれぞれ誘電体層の対向する表面に形成されていてもよい。
【００６８】
次に、第４の実施形態に係る高周波信号伝送線路について、図を参照して説明する。図６は、本発明の第４の実施形態に係る高周波信号伝送線路における導体の構成を示す平面図である。図６（Ａ）は、第２グランド導体の構成を示す平面図であり、図６（Ｂ）は信号導体の構成を示す平面図であり、図６（Ｃ）は第１グランド導体の構成を示す平面図である。図７は、本発明の第４の実施形態に係る高周波信号伝送線路における導体の構成を示す断面図である。図７（Ａ）は図６に示すＡ−Ａ’断面図であり、図７（Ｂ）は図６に示すＣ−Ｃ’断面図である。図７（Ｃ）は図６に示すＤ−Ｄ’断面図であり、図７（Ｄ）は図６に示すＢ−Ｂ’断面図である。
【００６９】
本実施形態に係る高周波信号伝送線路１０Ｃは、第１の実施形態に係る高周波信号伝送線路１０に対して、信号導体と第１、第２グランド導体との配置位置の関係が異なるものである。高周波信号伝送線路１０Ｃは、直線部および湾曲部での信号導体の形状、基本的な外形形状は、第１の実施形態に係る高周波信号伝送線路１０と略同じである。
【００７０】
図６（Ａ）に示すように、直線部１１Ｃには第２グランド導体４２１１が配置されており、湾曲部２１Ｃには第２グランド導体４２２１が配置されており、直線部１２Ｃには第２グランド導体４２１２が配置されている。第２グランド導体４２１１，４２２１，４２１２は一体形成されている。第２グランド導体４２１１，４２２１，４２１２は、誘電体素体９０の厚み方向の一方端面付近に配置されている。第２グランド導体４２１１，４２２１，４２１２の幅は、誘電体素体９０の幅に対して所定長さ短い形状である。言い換えれば、第２グランド導体４２１１，４２２１，４２１２は、誘電体素体９０の全幅に広がる形状ではない。
【００７１】
図６（Ｂ）に示すように、直線部１１Ｃには信号導体３１１が配置されており、湾曲部２１Ｃには信号導体３２１が配置されており、直線部１２Ｃには信号導体３１２が配置されている。信号導体３１１，３２１，３１２は一体形成されている。信号導体３１１，３２１，３１２は、誘電体素体９０の厚み方向の略中央に配置されている。
【００７２】
図６（Ｃ）に示すように、直線部１１Ｃには第１グランド導体４１１１が配置されており、湾曲部２１Ｃには第１グランド導体４１２１が配置されており、直線部１１Ｃには第２グランド導体４１１２が配置されている。第１グランド導体４１１１，４１２１，４１１２は一体形成されている。第１グランド導体４１１１，４１２１，４１１２は、誘電体素体９０の厚み方向の一方端面付近に配置されている。
【００７３】
このように、本実施形態に係る高周波信号伝送線路１０Ｃは、誘電体素体９０の厚み方向において、第１グランド導体と第２グランド導体との間の所定位置に、信号導体が配置される、所謂ストリップライン構造を備える。
【００７４】
次に、信号導体、第１，第２グランド導体の直線部１１Ｃ，１２Ｃおよび湾曲部２１Ｃでの具体的な構成について説明する。
【００７５】
（信号導体）
図６（Ｂ）および図７（Ａ）に示すように、直線部１１Ｃでは、信号導体３１１は、誘電体素体９０の幅方向の略中央に配置されている。同様に、直線部１２Ｃでは、信号導体３１２は、誘電体素体９０の幅方向の略中央に配置されている。
【００７６】
図６（Ｂ）、図７（Ｂ）、図７（Ｃ）、および、図７（Ｄ）に示すように、湾曲部２１Ｃでは、信号導体３２１は、第１の実施形態に係る高周波信号伝送線路１０と同様に、誘電体素体９０における湾曲部２１Ｃの幅方向の中央位置よりも湾曲部２１Ｃの内周端側に近づくように配置されている。信号導体３２１は、湾曲部２１Ｃの延びる方向における中央で最も内周端に近づくように形成されている。
【００７７】
（第２グランド導体）
直線部１１Ｃでは、図６（Ａ）および図７（Ａ）に示すように、第２グランド導体４２１１は、信号導体３１１の主面の略全面に対向する形状である。さらに、第２グランド導体４２１１の幅方向の一方端は、誘電体素体９０の一方の側面（直線部１２Ｃに対向する側面と反対側の側面）に近接している。第２グランド導体４２１１の幅方向の他方端は、誘電体素体９０の他方の側面（直線部１２Ｃに対向する側面）に対して所定の距離を置いている。なお、ここで、所定の距離とは、第２グランド導体４２１１の幅方向の一方端と、誘電体素体９０の一方の側面との間の距離よりも長い距離である。すなわち、第２グランド導体４２１１が形成される厚み方向の位置においては、他方の側面近傍に導体が形成されていない領域（図７（Ａ）におけるＬＧ１に略等しい長さに相当する領域）が設けられている。さらに、第２グランド導体４２１１における一方の側面側の信号導体３１１に対向しない部分の長さ（図７（Ａ）におけるＬ１１＋ＬＧ１に略等しい長さ）は、他方の側面側の信号導体３１１に対向しない部分の長さ（図７（Ａ）におけるＬ２１）よりも長い。言い換えれば、第２グランド導体４２１１は、誘電体素体９０の幅方向において、誘電体素体９０の一方の側面に近づくように、第２グランド導体４２１１の全体がシフトするように、配置されている。すなわち、第２グランド導体４２１１の幅方向の中央位置は、誘電体素体９０の幅方向の中央位置９８０および信号導体３１１の幅方向の中央位置よりも、誘電体素体９０の一方の端面側にずれている。
【００７８】
直線部１２Ｃでは、図６（Ａ）に示すように、第２グランド導体４２１２は、信号導体３１２の主面の略全面に対向する形状である。さらに、直線部１２Ｃにおける少なくとも湾曲部２１Ｃに接続する領域およびその近傍領域において、第２グランド導体４２１２の幅方向の一方端は、誘電体素体９０の一方の側面（直線部１１Ｃに対向する側面と反対側の側面（湾曲部２１Ｃの外周端の側面に続く面）に近接している。第２グランド導体４２１２の幅方向の他方端は、誘電体素体９０の他方の側面（直線部１１Ｃに対向する面（湾曲部２１Ｃの内周端の側面に続く面））に対して所定の距離を置いている。なお、ここで、所定の距離とは、第２グランド導体４２１１の幅方向の一方端と、誘電体素体９０の一方の側面との間の距離よりも長い距離である。すなわち、第２グランド導体４２１２が形成される厚み方向の位置においては、他方の側面近傍に導体が形成されていない領域が設けられている。さらに、第２グランド導体４２１２における一方の側面側の信号導体３１２に対向しない部分の長さは、他方の側面側の信号導体３１２に対向しない部分の長さよりも長い。言い換えれば、直線部１２Ｃにおける少なくとも湾曲部２１Ｃに接続する領域およびその近傍領域において、第２グランド導体４２１２は、誘電体素体９０の幅方向において、誘電体素体９０の一方の側面に近づくように、第２グランド導体４２１２の全体がシフトするように、配置されている。すなわち、第２グランド導体４２１２の幅方向の中央位置は、誘電体素体９０の幅方向の中央位置９８０および信号導体３１２の幅方向の中央位置よりも、誘電体素体９０の一方の端面側にずれている。
【００７９】
湾曲部２１Ｃでは、図６（Ａ）、図７（Ｂ）、図７（Ｃ）、および、図７（Ｄ）に示すように、第２グランド導体４２２１は、誘電体素体９０における湾曲部２１Ｃの幅方向の中央位置よりも湾曲部２１Ｃの内周端側に近づくように配置されている。第２グランド導体４２２１は、湾曲部２１Ｃの延びる方向における中央で最も内周端に近づくように形成されている。湾曲部２１Ｃの第２グランド導体４２２１の幅は、直線部１１Ｃ，１２Ｃにおける第２グランド導体４２１１，４２１２の幅と同じである。
【００８０】
なお、湾曲部２１Ｃにおける第２グランド導体４２２１と信号導体３２１との具体的な位置関係は、後述する。
【００８１】
（第１グランド導体）
直線部１１Ｃでは、図６（Ｃ）および図７（Ａ）に示すように、第１グランド導体４１１１は、信号導体３１１の主面の略全面に対向する形状である。さらに、第１グランド導体４１１１の幅方向の一方端は、誘電体素体９０の一方の側面（直線部１２Ｃに対向する側面（他方の側面）と反対側の側面）に対して所定の距離を置いている。なお、ここで、所定の距離とは、第１グランド導体４１１１の幅方向の他方端と、誘電体素体９０の他方の側面との間の距離よりも長い距離である。第１グランド導体４１１１の幅方向の他方端は、誘電体素体９０の他方の側面（直線部１２Ｃに対向する側面）に近接している。すなわち、第１グランド導体４１１１が形成される厚み方向の位置においては、一方の側面近傍に導体が形成されていない領域（図７（Ａ）におけるＬＧ１に略等しい長さに相当する領域）が設けられている。さらに、第１グランド導体４１１１における他方の側面側の信号導体３１１に対向しない部分の長さ（図７（Ａ）におけるＬ２１＋ＬＧ１に略等しい長さ）は、一方の側面側の信号導体３１１に対向しない部分の長さ（図７（Ａ）におけるＬ１１）よりも長い。言い換えれば、第１グランド導体４１１１は、誘電体素体９０の幅方向において、誘電体素体９０の他方の側面に近づくように、第１グランド導体４１１１の全体がシフトするように、配置されている。すなわち、第１グランド導体４１１１の幅方向の中央位置は、誘電体素体９０の幅方向の中央位置９８０および信号導体３１１の幅方向の中央位置よりも、誘電体素体９０の他方の端面側にずれている。
【００８２】
直線部１２Ｃでは、図６（Ｃ）に示すように、第１グランド導体４１１２は、信号導体３１２の主面の略全面に対向する形状である。さらに、直線部１２Ｃにおける少なくとも湾曲部２１Ｃに接続する領域およびその近傍領域において、第１グランド導体４１１２の幅方向の一方端は、誘電体素体９０の一方の側面（直線部１１Ｃに対向する側面（他方の側面）と反対側の側面（湾曲部２１Ｃの外周端の側面に続く面）に対して所定の距離を置いている。なお、ここで、所定の距離とは、第１グランド導体４１１２の幅方向の他方端と、誘電体素体９０の他方の側面との間の距離よりも長い距離である。第１グランド導体４１１２の幅方向の他方端は、誘電体素体９０の他方の側面（直線部１１Ｃに対向する側面（湾曲部２１Ｃの内周端の側面に続く面））に近接している。すなわち、第１グランド導体４１１２が形成される厚み方向の位置においては、一方の側面近傍に導体が形成されていない領域が設けられている。さらに、第１グランド導体４１１２における他方の側面側の信号導体３１２に対向しない部分の長さは、一方の側面側の信号導体３１２に対向しない部分の長さよりも長い。言い換えれば、直線部１２Ｃにおける少なくとも湾曲部２１Ｃに接続する領域およびその近傍領域において、第１グランド導体４１１２は、誘電体素体９０の幅方向において、誘電体素体９０の他方の側面に近づくように、第１グランド導体４１１１の全体がシフトするように、配置されている。すなわち、第１グランド導体４１１２の幅方向の中央位置は、誘電体素体９０の幅方向の中央位置９８０および信号導体３１２の幅方向の中央位置よりも、誘電体素体９０の他方の端面側にずれている。
【００８３】
湾曲部２１Ｃでは、図６（Ｃ）、図７（Ｂ）、図７（Ｃ）、および、図７（Ｄ）に示すように、第１グランド導体４１２１は、誘電体素体９０における湾曲部２１Ｃの内周端側に配置されている。より具体的には、湾曲部２１Ｃでは、第１グランド導体４１２１の幅方向における湾曲部２１Ｃの内周端側の端部は、湾曲部２１Ｃの内周端に近接している。第１グランド導体４１２１の幅方向における外周端側の端部は、湾曲部２１Ｃの外周端から離間している。すなわち、第１グランド導体４１２１が形成される厚み方向の位置において、外周端側の側面近傍に導体が形成されていない領域が設けられている。言い換えれば、湾曲部２１Ｃにおいて、第１グランド導体４１２１は、誘電体素体９０の幅方向において、誘電体素体９０の内周端側の側面に近づくように、第１グランド導体４１２１の全体がシフトするように、配置されている。湾曲部２１Ｃの第１グランド導体４１２１の幅は、直線部１１Ｃ，１２Ｃにおける第１グランド導体４１１１，４１１２の幅と同じである。
【００８４】
このように、本実施形態に係る高周波信号伝送線路１０Ｃの各直線部では、第１グランド導体と第２グランド導体は、誘電体素体９０の幅方向において、異なる方向（反対方向）にシフトしている。この構成によって、第１グランド導体と第２グランド導体とは、同じ幅でありながら、幅方向の中央位置が、誘電体素体９０の幅方向において異なっている。さらに、これら第１グランド導体の幅方向の中央位置と第２グランド導体の幅方向の中央位置は、誘電体素体９０の幅方向において、信号導体の幅方向の中央位置と異なっている。したがって、各直線部では、誘電体素体９０の幅方向において、第１グランド導体と第２グランド導体を意図的に対向させていない部分を備える。
【００８５】
このような構成とすることで、信号導体に対する第１、第２グランド導体の容量性結合を低下させることができる。したがって、信号導体の幅を広くすることができ、伝送損失を低減することができる。また、信号導体の幅を変化させない場合には、誘電体素体９０の厚み方向における信号導体と第１、第２グランド導体との間隔を狭くでき、高周波信号伝送線路１０を薄型化することも可能である。
【００８６】
次に、湾曲部２１Ｃにおける信号導体３２１と第１、第２グランド導体４１２１，４２２１との配置関係について、より具体的に説明する。
【００８７】
図７（Ｂ），（Ｃ），（Ｄ）に示すように、湾曲部２１Ｃでは、延びる方向の端部（直線部１１Ｃ，１２Ｃに接続する端部）から延びる方向の中央に向かって、信号導体３２１の配置位置は、徐々に内周端側にシフトする。
【００８８】
この信号導体３２１のシフトによって、湾曲部２１Ｃにおける直線部１１Ｃ，１２Ｃに近接する領域では、信号導体３２１は、第１、第２グランド導体４１２１，４２２１に対向しながらも、図７（Ｂ）のＬ２２に示すように、第２グランド導体４２２１が信号導体３２１と対向しない部分における内周端側の長さは、徐々に短くなる。一方、図７（Ｂ）のＬ１２に示すように、第１グランド導体４１２１が信号導体３２１と対向しない部分における外周端側の長さは、徐々に長くなる。このように、湾曲部２１Ｃにおける直線部１１Ｃ，１２Ｃに近接する領域では、信号導体３２１の幅方向の内周端側における信号導体３２１と第２グランド導体４２２１が対向しない部分の長さが短くなり、信号導体３２１の幅方向の外周端側における信号導体３２１と第１グランド導体４１２１が対向しない部分の長さが長くなる。したがって、ストリップライン構造の伝送線路としての容量性結合の総量は殆ど変化せず、特性インピーダンスも殆ど変化しない。
【００８９】
次に、図７（Ｃ）に示すように、信号導体３２１がさらにシフトして、誘電体素体９０の幅方向において、信号導体３２１の内周端側の端部と第２グランド導体４２２１の内周端側の端部とが所定距離まで近接すると、信号導体３２１のシフト量に対応して、第２グランド導体４２２１も内周端側にシフトする。具体的な一態様としては、信号導体３２１の幅方向の中央位置が第１グランド導体４１２１の幅方向の中央位置よりも内周端側になると、第２グランド導体４２２１も内周端側にシフトする。この際、信号導体３２１と第２グランド導体４２２１が対向しない信号導体３２１に対して内周端側の部分の長さは、図７（Ｃ）のＬ２３に示すように、図７（Ｂ）のＬ２２よりも長い（Ｌ２３＞Ｌ２２）。すなわち、第２グランド導体４２２１の配置位置のシフト量は、信号導体３２１の配置位置のシフト量よりも大きい。これにより、信号導体３２１と第１グランド導体４１２１が対向しない信号導体３２１に対して内周端側の部分の長さが短くなることによって（図７（Ｃ）のＬ２３＋ＬＧ２２（内周端側における第１、第２グランド導体４１２１，４２２１が対向しない部分の長さ）に相当する長さ）、信号導体３２１と第１グランド導体４１２１との容量性結合が少なくなった分を、信号導体３２１と第２グランド導体４２２１との容量性結合の増加によって補うことができる。したがって、ストリップライン構造の伝送線路としての容量性結合の総量は殆ど変化せず、特性インピーダンスも殆ど変化しない。
【００９０】
次に、図７（Ｄ）に示すように、湾曲部２１Ｃの延びる方向の中央位置では、信号導体３２１がさらにシフトして、誘電体素体９０の幅方向において、信号導体３２１の内周端側の端部と第１グランド導体４１２１の内周端側の端部とが近接する。この場合、第２グランド導体４２２１は、誘電体素体９０の幅方向において、内周端側の端部が第１グランド導体４１２１の内周端側の端部と一致する位置までシフトする。この際、信号導体３２１と第１、第２グランド導体４１２１，４２２１が対向しない信号導体３２１に対して内周端側の部分の長さは、図７（Ｄ）のＬ２４に示すように、図７（Ｃ）のＬ２３よりも長い（Ｌ２４＞Ｌ２３）。なお、Ｌ２４はＬ２１と同じであることが好ましい。これにより、信号導体３２１と第１グランド導体４１２１が対向しない信号導体３２１に対して内周端側の部分の長さが短くなることによって（図７（Ｄ）のＬ２４に相当する長さ）、信号導体３２１と第１グランド導体４１２１との容量性結合が少なくなった分を、信号導体３２１と第２グランド導体４２２１との容量性結合によって補うことができる。したがって、ストリップライン構造の伝送線路としての容量性結合の総量は殆ど変化せず、特性インピーダンスも殆ど変化しない。
【００９１】
このように、本実施形態の構成を備える湾曲部２１Ｃでは、湾曲部２１Ｃの延びる方向の位置毎に、誘電体素体９０の幅方向における信号導体３２１と第２グランド導体４２２１の位置を変化させている。具体的には、信号導体３２１の幅方向の中央位置が第１グランド導体４１２１の幅方向の中央位置に一致するまでは、信号導体３２１のみが内周端側にシフトするように配置される。そして、信号導体３２１の幅方向の中央位置が第１グランド導体４１２１の幅方向の中央位置よりも内周端側になると、第２グランド導体４２２１も内周端側にシフトするように配置される。この際、第２グランド導体４２２１のシフト量は、信号導体３２１のシフト量よりも大きい。これにより、湾曲部２１Ｃの延びる方向に沿った各位置の間での特性インピーダンスの変化を抑制することができる。これにより、湾曲部２１Ｃにおける特性インピーダンスを高周波信号の伝送に適した所望値にすることができる。さらに、直線部１１Ｃ，１２Ｃと同様に信号導体３２１の幅を広くすることができる。したがって、湾曲部２１Ｃでの伝送損失を抑制することができる。
【００９２】
以上のように、本実施形態の構成を用いることで、伝送特性に優れる高周波信号伝送線路１０Ｃを実現することができる。また、上述の第１の実施形態に係る高周波信号伝送線路１０と同様に、高い信頼性を有する高周波信号伝送線路１０Ｃを実現することができる。
【００９３】
なお、本実施形態では、湾曲部２１Ｃにおいて、第２グランド導体４２２１が内周端側に徐々にシフトする構成を示したが、第２グランド導体４２２１が内周端側に徐々に延びる構成を用いることもできる。同様に、すなわち、誘電体素体９０の幅方向において、第２グランド導体４２２１の外周端の位置を変えることなく、内周端の位置を内周端側に徐々にシフトさせる構成を用いてもよい。
【００９４】
上述の説明では、湾曲部が１つの場合を示したが、湾曲部が複数あり、二回以上折り返す構造（図１参照）の高周波信号伝送線路を用いる場合には、次の構成とすることが好ましい。図８は、本発明の第４の実施形態に係る高周波信号伝送線路における導体の構成を示す平面図である。図８（Ａ）は、第２グランド導体の構成を示す平面図であり、図８（Ｂ）は信号導体の構成を示す平面図であり、図８（Ｃ）は第１グランド導体の構成を示す平面図である。
【００９５】
図８（Ｂ）に示すように、信号導体３１２は、直線部１２Ｃにおいて、延びる方向のどの位置においても、誘電体素体９０の幅方向の中央位置に配置されている。
【００９６】
図８（Ｂ）に示すように、信号導体３２２は、湾曲部２２Ｃにおいて、湾曲部２１Ｃの信号導体３２１と同様に、誘電体素体９０における湾曲部２２Ｃの幅方向の中央位置よりも湾曲部２２Ｃの内周端側に近づくように配置されている。信号導体３２２は、湾曲部２２Ｃの延びる方向における中央で最も内周端に近づくように形成されている。
【００９７】
図８（Ｂ）に示すように、信号導体３１３は、直線部１３Ｃにおいて、延びる方向のどの位置においても、誘電体素体９０の幅方向の中央位置に配置されている。
【００９８】
図８（Ａ）に示すように、第２グランド導体４２１２は、直線部１２Ｃにおいて、信号導体３１２の主面の略全面に対向する形状である。さらに、第２グランド導体４２１２の幅方向の一方端は、誘電体素体９０の一方の側面（直線部１３Ｃに対向する側面と反対側の側面（湾曲部２１Ｃの外周端の側面および湾曲部２２Ｃの内周端の側面に続く面）に近接している。第２グランド導体４２１２の幅方向の他方端は、誘電体素体９０の他方の側面（直線部１１Ｃに対向する面（湾曲部２１Ｃの内周端および湾曲部２２Ｃの外周端の側面に続く面））に対して所定の距離を置いている。
【００９９】
図８（Ａ）に示すように、第２グランド導体４２２２は、湾曲部２２Ｃにおいて、湾曲部２１Ｃの第１グランド導体４１２１と同様の構成を備える。具体的には、第２グランド導体４２２２は、信号導体３２２の主面の略全面に対向する形状である。さらに、第２グランド導体４２２２の幅方向における湾曲部２２Ｃの内周端側の端部は、湾曲部２２Ｃの内周端に近接している。第２グランド導体４２２２の幅方向における外周端側の端部は、湾曲部２２Ｃの外周端から離間している。
【０１００】
図８（Ａ）に示すように、第２グランド導体４２１３は、直線部１３Ｃにおいて、信号導体３１３の主面の略全面に対向する形状である。さらに、第２グランド導体４２１３の幅方向の一方端は、誘電体素体９０の一方の側面（直線部１２Ｃに対向する側面（湾曲部２２Ｃの内周端の側面に続く面）に近接している。第２グランド導体４２１３の幅方向の他方端は、誘電体素体９０の他方の側面（直線部１２Ｃに対向する側面と反対側の側面（湾曲部２２Ｃの外周端の側面に続く面））に対して所定の距離を置いている。
【０１０１】
図８（Ｃ）に示すように、第１グランド導体４１１２は、直線部１２Ｃにおいて、信号導体３１２の主面の略全面に対向する形状である。さらに、第１グランド導体４１１２の幅方向の一方端は、誘電体素体９０の一方の側面（直線部１３Ｃに対向する側面（湾曲部２２Ｃの内周端の側面に続く面）に対して所定の距離を置いている。第１グランド導体４１２の幅方向の他方端は、誘電体素体９０の他方の側面（直線部１１Ｃに対向する側面（湾曲部２２Ｃの外周端の側面に続く面））に近接している。
【０１０２】
図８（Ｃ）に示すように、第１グランド導体４１２２は、湾曲部２２Ｃにおいて、湾曲部２１Ｃの第２グランド導体４２２１と同様の構成を備える。具体的には、第１グランド導体４１２２は、信号導体３２２の主面の略全面に対向する形状である。第１グランド導体４１２２は、誘電体素体９０における湾曲部２２Ｃの幅方向の中央位置よりも湾曲部２２Ｃの内周端側に近づくように配置されている。第１グランド導体４１２２は、湾曲部２２Ｃの延びる方向における中央で最も内周端に近づくように形成されている。
【０１０３】
図８（Ｃ）に示しように、第１グランド導体４１１３は、直線部１３Ｃにおいて、信号導体３１３の主面の略全面に対向する形状である。さらに、第１グランド導体４１１３の幅方向の一方端は、誘電体素体９０の一方の側面（直線部１２Ｃに対向する側面（湾曲部２２Ｃの内周端の側面に続く面）に対して所定の距離を置いている。第１グランド導体４１３の幅方向の他方端は、誘電体素体９０の他方の側面（直線部１２Ｃに対向する側面と反対側の側面（湾曲部２２Ｃの外周端の側面に続く面））に近接している。
【０１０４】
このように、本実施形態の構成では、湾曲部２１Ｃと湾曲部２２Ｃとで、第１グランド導体と第２グランド導体の構成が入れ替わる。言い換えれば、高周波信号伝送線路を平面視して、湾曲部２１Ｃにおける第１グランド導体の構成は、湾曲部２２Ｃにおける第２グランド導体の構成と同じであり、湾曲部２１Ｃにおける第２グランド導体の構成は、湾曲部２１Ｃにおける第１グランド導体の構成と同じである。
【０１０５】
このような構成とすることで、異なる方向に湾曲する湾曲部を複数備える構成であっても、複雑な導体の引き回しを行うことなく、信号導体に対する第１、第２グランド導体の容量性結合を低下させることができる。したがって、信号導体の幅を広くすることができ、伝送損失を低減することができる。
【０１０６】
なお、高周波信号伝送線路に湾曲部が複数あり、二回以上折り返す構造（図１参照）の高周波信号伝送線路を用いる場合には、延びる方向の両端が湾曲部に接続する直線部を次に示す構成にすることもできる。図９は、本発明の第４の実施形態に係る高周波信号伝送線路における導体の構成を示す平面図である。図９（Ａ）は、第２グランド導体の構成を示す平面図であり、図９（Ｂ）は信号導体の構成を示す平面図であり、図９（Ｃ）は第１グランド導体の構成を示す平面図である。
【０１０７】
図９（Ｂ）に示すように、直線部１２Ｃ’において、信号導体３１２は、延びる方向のどの位置においても、誘電体素体９０の幅方向の中央位置に配置されている。
【０１０８】
図９（Ａ）に示すように、直線部１２Ｃ’において、第２グランド導体４２１２の湾曲部２１Ｃ側の部分は、上述のように、誘電体素体９０の一方の側面側（直線部１３Ｃ側）にシフトして配置している。一方、第２グランド導体４２１２の湾曲部２２Ｃ側の部分は、誘電体素体９０の他方の側面側（直線部１１Ｃ’側）にシフトして配置している。このため、第２グランド導体４２１２は、位置シフト部４２１２ｓｆを備える。位置シフト部４２１２ｓｆでは、第２グランド導体４２１２の配置位置が幅方向の中央位置に対してシフトする量およびシフトする方向は、直線部１２Ｃ’の延びる方向に沿って徐々に変化している。
【０１０９】
図９（Ｃ）に示すように、直線部１２Ｃ’において、第１グランド導体４１１２の湾曲部２１Ｃ側の部分は、上述のように、誘電体素体９０の他方の側面側（直線部１１Ｃ’側）にシフトして配置している。一方、第１グランド導体４１１２の湾曲部２２Ｃ側の部分は、誘電体素体９０の一方の側面側（直線部１３Ｃ’側）にシフトして配置している。このため、第１グランド導体４１１２は、位置シフト部４１１２ｓｆを備える。位置シフト部４１１２ｓｆでは、第１グランド導体４１１２の配置位置が幅方向の中央位置に対してシフトする量およびシフトする方向は、直線部１２Ｃ’の延びる方向に沿って徐々に変化している。
【０１１０】
第１グランド導体４１１２の位置シフト部４１１２ｓｆと、第２グランド導体４２１２の位置シフト部４２１２ｓｆは、重なっている。直線部１２Ｃの延びる方向の各位置では、第１グランド導体４１１２の位置シフト部４１１２ｓｆのシフト量と、第２グランド導体４２１２の位置シフト部４２１２ｓｆのシフト量は、同じである。また、直線部１２Ｃ’の延びる方向の各位置では、第１グランド導体４１１２の位置シフト部４１１２ｓｆのシフト方向と、第２グランド導体４２１２の位置シフト部４２１２ｓｆのシフト方向は、反対（逆）である。
【０１１１】
このような構成であっても、複雑な構成を用いることなく、両端が湾曲部に接続する直線部においても、延びる方向の各位置間で特性インピーダンスが変化することを抑制できる。これにより、伝送損失の低下を抑制できる。
【０１１２】
次に、第５の実施形態に係る高周波信号伝送線路について、図を参照して説明する。図１０は、本発明の第５の実施形態に係る高周波信号伝送線路における導体の構成を示す断面図である。図１０（Ａ）は図６に示すＡ−Ａ’断面と同じ位置に相当する部分の断面図であり、図１０（Ｂ）は図６に示すＣ−Ｃ’断面と同じ位置に相当する部分の断面図である。図１０（Ｃ）は図６に示すＤ−Ｄ’断面と同じ位置に相当する部分の断面図であり、図１０（Ｄ）は図６に示すＢ−Ｂ’断面と同じ位置に相当する部分の断面図である。
【０１１３】
本実施形態に係る高周波信号伝送線路１０Ｄは、第１の実施形態に係る高周波信号伝送線路１０に対して、構成要素が同じであるが、信号導体、および第１、第２グランド導体の位置関係が異なる。
【０１１４】
高周波信号伝送線路１０Ｄでは、直線部１１Ｄと湾曲部２１Ｄとで、信号導体と第１グランド導体および第２グランド導体との位置関係は同じである。高周波信号伝送線路１０Ｄでは、この信号導体と第１、第２グランド導体との導体グループの誘電体素体９０の幅方向に対する位置が、直線部１１Ｄと、湾曲部２１Ｄの延びる方向の各位置とで異なる。
【０１１５】
具体的には、直線部１１Ｄでは、第１グランド導体４１１１と第２グランド導体４２２１は同じ幅である。第１グランド導体４１１１と第２グランド導体４２２１の幅方向の位置は同じである。
【０１１６】
第１、第２グランド導体４１１１，４２１１の幅方向の一方端は、誘電体素体９０の一方の側面（湾曲部２１Ｄの外周端の側面に続く側面）に近接している。第１、第２グランド導体４１１１，４２１１の幅方向の他方端は、誘電体素体９０の他方の側面（湾曲部２１Ｄの内周端の側面に続く側面）に対して所定の距離を置いている。
【０１１７】
信号導体３２１の幅方向の他方端は、第１、第２グランド導体４１１１，４２１１の幅方向の他方端に近接している。すなわち、信号導体３２１の幅方向の中央位置は、第１、第２グランド導体の幅方向の中央位置よりも、誘電体素体９０の他方の側面側にずれている。
【０１１８】
湾曲部２１Ｄでは、信号導体３２１および第１、第２グランド導体４１２１，４２２１からなる導体グループは、湾曲部２１Ｄの延びる方向の位置の変化にともなって、湾曲部２１Ｄの内周端側に徐々に配置位置が変化する。そして、信号導体３２１および第１、第２グランド導体４１２１，４２２１からなる導体グループは、湾曲部２１Ｄの延びる方向の中央位置において、誘電体素体９０の内周端に最も近づく。
【０１１９】
具体的には、湾曲部２１ＤにおけるＣ−Ｃ’断面に対応する位置では、信号導体３２１に対する第１、第２グランド導体４１２１，４２２１の位置関係は同じである。湾曲部２１ＤにおけるＣ−Ｃ’断面に対応する位置では、信号導体３２１および第１、第２グランド導体４１２１，４２２１からなる導体グループは、直線部１１Ｄと比較して、誘電体素体９０の他方の側面（内周端の側面）に近づいて配置されている。すなわち、直線部１１Ｄにおける第１、第２グランド導体４１１１，４２１１の幅方向の他方端と誘電体素体９０の他方の側面との距離Ｌ３１Ｄと比較して、湾曲部２１ＤのＣ−Ｃ’断面に対応する位置における第１、第２グランド導体４１２１，４２２１の幅方向の他方端と誘電体素体９０の他方の側面との距離Ｌ３２Ｄは、短い（Ｌ３２Ｄ＜Ｌ３１Ｄ）。
【０１２０】
湾曲部２１ＤにおけるＤ−Ｄ’断面に対応する位置では、信号導体３２１および第１、第２グランド導体４１２１，４２２１からなる導体グループは、湾曲部２１ＤにおけるＣ−Ｃ’断面に対応する位置と比較して、湾曲部２１Ｄの内周端の側面に近づいて配置されている。すなわち、湾曲部２１ＤのＣ−Ｃ’断面に対応する位置における第１、第２グランド導体４１２１，４２２１の幅方向の他方端と誘電体素体９０の他方の側面との距離Ｌ３２Ｄと比較して、湾曲部２１ＤのＤ−Ｄ’断面に対応する位置における第１、第２グランド導体４１２１，４２２１の幅方向の他方端と誘電体素体９０の他方の側面との距離Ｌ３２Ｄは、短い（Ｌ３３Ｄ＜Ｌ３２Ｄ）。
【０１２１】
湾曲部２１Ｄの延びる方向の中央位置に対応する湾曲部２１ＤにおけるＢ−Ｂ’断面に対応する位置では、信号導体３２１および第１、第２グランド導体４１２１，４２２１からなる導体グループは、湾曲部２１ＤにおけるＤ−Ｄ’断面に対応する位置と比較して、湾曲部２１Ｄの内周端の側面に近づいて配置されている。すなわち、湾曲部２１ＤのＤ−Ｄ’断面に対応する位置における第１、第２グランド導体４１２１，４２２１の幅方向の他方端と誘電体素体９０の他方の側面との距離Ｌ３３Ｄと比較して、湾曲部２１ＤのＢ−Ｂ’断面に対応する位置における第１、第２グランド導体４１２１，４２２１の幅方向の他方端と誘電体素体９０の他方の側面との距離Ｌ３２Ｄは、短い（Ｌ３４Ｄ＜Ｌ３３Ｄ）。
【０１２２】
このような構成であっても、上述の第４の実施形態と同様の作用効果を得ることができる。
【０１２３】
次に、第６の実施形態に係る高周波信号伝送線路について、図を参照して説明する。図１１は、本発明の第６の実施形態に係る高周波信号伝送線路における導体の構成を示す断面図である。図１１（Ａ）は図６に示すＡ−Ａ’断面と同じ位置に相当する部分の断面図であり、図１１（Ｂ）は図６に示すＣ−Ｃ’断面と同じ位置に相当する部分の断面図である。図１１（Ｃ）は図６に示すＤ−Ｄ’断面と同じ位置に相当する部分の断面図であり、図１１（Ｄ）は図６に示すＢ−Ｂ’断面と同じ位置に相当する部分の断面図である。
【０１２４】
本実施形態に係る高周波信号伝送線路１０Ｅは、第５の実施形態に係る高周波信号伝送線路１０Ｄに対して、第１、第２グランド導体の構成が異なるものであり、他の構成は、第５の実施形態に係る高周波信号伝送線路１０Ｄと同じである。
【０１２５】
高周波信号伝送線路１０Ｅにおける直線部１１Ｅの第１、第２グランド導体４１１１Ｅ，４２１１Ｅは、第４の実施形態に係る高周波信号伝送線路１０Ｄにおける直線部１１Ｄの第１、第２グランド導体４１１１Ｄ，４２１１Ｄと同じである。
【０１２６】
高周波信号伝送線路１０Ｅにおける湾曲部２１Ｅの第１、第２グランド導体４１２１Ｅ，４２２１Ｅは、湾曲部２１Ｅの延びる方向の各位置において、内周端側の端部の位置が変化する。一方、第１、第２グランド導体４１２１Ｅ，４２２１Ｅは、湾曲部２１Ｅの延びる方向の各位置において、外周端側の端部の位置が変化しない。すなわち、第１、第２グランド導体４１２１Ｅ，４２２１Ｅは、湾曲部２１Ｅの延びる方向の各位置において、長さが異なる。言い換えれば、第１、第２グランド導体４１２１Ｅ，４２２１Ｅは、湾曲部２１Ｅの延びる方向の位置が中央位置に近づくほど、幅が広くなる。
【０１２７】
このような構成では、第１、第２グランド導体における信号導体に対して容量性結合する領域とは異なる部分が延びて広がる構成である。したがって、湾曲部２１Ｅの延びる方向の位置によって特性インピーダンスが殆ど変化せず、第４、第５の実施形態に係る高周波信号伝送線路と同じ作用効果を得ることができる。
【０１２８】
次に、第７の実施形態に係る高周波信号伝送線路について、図を参照して説明する。図１２は、本発明の第７の実施形態に係る高周波信号伝送線路における導体の構成を示す断面図である。図１２（Ａ）は図６に示すＡ−Ａ’断面と同じ位置に相当する部分の断面図であり、図１２（Ｂ）は図６に示すＣ−Ｃ’断面と同じ位置に相当する部分の断面図である。図１２（Ｃ）は図６に示すＤ−Ｄ’断面と同じ位置に相当する部分の断面図であり、図１２（Ｄ）は図６に示すＢ−Ｂ’断面と同じ位置に相当する部分の断面図である。
【０１２９】
本実施形態に係る高周波信号伝送線路１０Ｆは、第１の実施形態に係る高周波信号伝送線路１０に対して、湾曲部２１Ｆの第２グランド導体４２２１Ｆの構成が異なるものであり、直線部１１Ｆを含む他の構成は、第１の実施形態に係る高周波信号伝送線路１０と同じである。
【０１３０】
本実施形態の第２グランド導体４２２１Ｆは、湾曲部２１Ｆの延びる方向の位置よって幅（幅方向の長さ）が異なる。具体的には、信号導体３２１の幅方向に沿った位置の移動にしたがって、湾曲部２１Ｆの延びる方向の位置が中央位置に近づくほど、第２グランド導体４２２１Ｆの幅は広くなる。
【０１３１】
このような構成であっても、第１の実施形態と同様の作用効果を得ることができる。また、湾曲部２１Ｆにおいて第２グランド導体４２２１Ｆの面積が広くなるので、高周波信号の外部放射や、外部ノイズの高周波信号への重畳をさらに抑制することができる。
【０１３２】
なお、上述の第４−第７の実施形態では、誘電体素体９０の厚み方向に沿って、信号導体が第１グランド導体と第２グランド導体の間に配置され、且つ、信号導体の全面が第１グランド導体と第２グランド導体の両方に対向する配置となる態様を示した。しかしながら、伝送損失の許容範囲に基づく特性インピーダンスの許容範囲に応じて、信号導体が第１グランド導体または第２グランド導体の少なくとも一方に対して対向しない部分を備えていてもよい。ただし、上述の構成に示すように、信号導体の略全面が第１グランド導体および第２グランド導体に対向する方が好ましい。
【符号の説明】
【０１３３】
１０，１０Ａ，１０Ｂ，１０Ｃ，１０Ｄ，１０Ｅ，１０Ｆ：高周波信号伝送線路
１１，１２，１３，１１Ｂ，１２Ｂ，１１Ｃ，１２Ｃ，１１Ｄ，１１Ｅ，１１Ｆ：直線部
２１，２２，２１Ａ，２１Ｂ，２１Ｃ，２１Ｄ，２１Ｅ，２１Ｆ：湾曲部
４１，４１１１，４１１２，４１２１，４１１１Ｅ，４１２１Ｅ：第１グランド導体
４２，４２１１，４２１２，４２２１，４２１１Ｅ，４２２１Ｅ，４２２１Ｆ：第２グランド導体
４１１２ｓｆ，４２１２ｓｆ：位置シフト部
８０：絶縁性レジスト
９０，９０Ｂ：誘電体素体
３１１，３１２，３２１，３２１Ａ，３１１Ｂ，３１２Ｂ，３２１Ｂ：信号導体
５１１，５１２：コネクタ
９８０，９８０Ｂ，９８２，９８２Ｂ：中央位置
【図１】
0005988011.tif 000002
【図２】
0005988011.tif 000003
【図３】
0005988011.tif 000004
【図４】
0005988011.tif 000005
【図５】
0005988011.tif 000006
【図６】
0005988011.tif 000007
【図７】
0005988011.tif 000008
【図８】
0005988011.tif 000009
【図９】
0005988011.tif 000010
【図１０】
0005988011.tif 000011
【図１１】
0005988011.tif 000012
【図１２】
0005988011.tif 000013